(57)【特許請求の範囲】
【請求項１】
シート状物（２）を三次元物（３）の露出面（３ａ）に貼り付けて構成されたシート貼付物であって、
前記シート状物（２）は、当該シート状物（２）の少なくとも一部同士が前記三次元物（３）の露出面（３ａ）に沿う方向に離間した間隙（４）を有し、
前記間隙（４）は、前記シート状物（２）の露出面（２ａ）に描かれた模様（２ｂ）の少なくとも一部同士を前記三次元物（３）の露出面（３ａ）に沿う方向に離間させる模様隙部（４ａ）を備え、
この模様隙部（４ａ）は、前記シート状物（２）の一部が抜き取られ、前記模様（２ｂ）の全体像から一部が欠落した部分を有していると共に、
前記間隙（４）は、前記三次元物（３）の露出面（３ａ）における凹凸（３ｂ）を形成する稜（３ｃ）に沿った線状又は帯状の凹凸隙部（４ｂ）を備え、
この凹凸隙部（４ｂ）から、前記凹凸（３ｂ）を形成する稜（３ｃ）までの凹凸距離（Ｌ’）は、０ｍｍ以上３０ｍｍ以下であり、
前記シート状物（２）は、前記模様隙部（４ａ）によって、前記三次元物（３）の露出面（３ａ）に沿う方向に離間したシート状の物を２つ以上有し、
これら２つ以上の離間したシート状の物に亘って、前記模様（２ｂ）の全体像において地で囲まれた模様部分と地の部分との境界線が略一線状となっている箇所が、少なくとも１つ存在していることを特徴とするシート貼付物。
【請求項２】
前記シート状物（２）は、前記離間したシート状の物を３つ以上有し、
これら３つ以上の離間したシート状の物に亘って、前記模様（２ｂ）の全体像において地で囲まれた模様部分が、少なくとも１つ存在していることを特徴とする請求項１に記載のシート貼付物。
【請求項３】
前記三次元物（３）が、裏面に高台（Ｓ）が付いた皿であることを特徴とする請求項１又は２に記載のシート貼付物。
【請求項４】
前記三次元物（３）が、周縁に帯状部分であるリム（Ｒ）が付いた皿であることを特徴とする請求項１〜３の何れか１項に記載のシート貼付物。
【請求項５】
前記シート状物（２）は、当該シート状物（２）の少なくとも一部同士が重複した重なり（５）を有し、又は、前記三次元物（３）の露出面（３ａ）における稜（３ｃ）を跨いで貼り付けられた食出し（６）を有していることを特徴とする請求項１〜４の何れか１項に記載のシート貼付物。
【発明の詳細な説明】
【技術分野】
【０００１】
本発明は、シート状物を三次元物に貼り付けて構成されたシート貼付物に関するものである。
【背景技術】
【０００２】
従来、基材シートと、該基材シートの一方の面に形成された粘着層と、該粘着層に貼られた剥離シートと、を有する化粧シートが知られている（特許文献１）。
この化粧シートは、粘着層には、該粘着層の形成領域端に両端が至る連続線状の非粘着部が紫外線硬化型インキにて複数印刷形成されている。
【先行技術文献】
【特許文献】
【０００３】
【特許文献１】特開２００９−１２２２７号公報
【発明の概要】
【発明が解決しようとする課題】
【０００４】
しかしながら、特許文献１に記載された化粧シートは、貼り込まれた際の空気を、非粘着部を流路としてその端部から排気することで抜いており、この非粘着部を形成するために、表出させた粘着層の表面に、該粘着層の形成領域端に両端が至る連続線状の非粘着部を紫外線硬化型インキにて複数印刷形成する工程と、印刷面に紫外線を照射する工程が増えることとなり、製造効率が低下すると共に、工程が増えた分だけ、生産コストが上がる。
【０００５】
そこで本発明は、シート状物に三次元物の露出面に沿う方向に離間した間隙を設けることによって、「製造効率の向上」と「生産コストの低減」を同時に実現可能なシート貼付物を得ることを目的とする。
【課題を解決するための手段】
【０００６】
本発明に係るシート貼付物１は、シート状物２を三次元物３の露出面３ａに貼り付けて構成されたシート貼付物であって、前記シート状物２は、当該シート状物２の少なくとも一部同士が前記三次元物３の露出面３ａに沿う方向に離間した間隙４を有し、前記間隙４は、前記シート状物２の露出面２ａに描かれた模様２ｂの少なくとも一部同士を前記三次元物３の露出面３ａに沿う方向に離間させる模様隙部４ａを備え、この模様隙部４ａは、前記シート状物２の一部が抜き取られ、前記模様２ｂの全体像から一部が欠落した部分を有していると共に、前記間隙４は、前記三次元物３の露出面３ａにおける凹凸３ｂを形成する稜３ｃに沿った線状又は帯状の凹凸隙部４ｂを備え、この凹凸隙部４ｂから、前記凹凸３ｂを形成する稜３ｃまでの凹凸距離Ｌ’は、０ｍｍ以上３０ｍｍ以下であり、前記シート状物２は、前記模様隙部４ａによって、前記三次元物３の露出面３ａに沿う方向に離間したシート状の物を２つ以上有し、これら２つ以上の離間したシート状の物に亘って、前記模様２ｂの全体像において地で囲まれた模様部分と地の部分との境界線が略一線状となっている箇所が、少なくとも１つ存在していることを第１の特徴とする。
【０００７】
本発明に係るシート貼付物１の第２の特徴は、上記第１の特徴に加えて、前記シート状物２は、前記離間したシート状の物を３つ以上有し、これら３つ以上の離間したシート状の物に亘って、前記模様２ｂの全体像において地で囲まれた模様部分が、少なくとも１つ存在している点にある。
【０００８】
本発明に係るシート貼付物１の第３の特徴は、上記第１又は２の特徴に加えて、前記三次元物３が、裏面に高台Ｓが付いた皿である点にある。
【０００９】
本発明に係るシート貼付物１の第４の特徴は、上記第１〜３の何れかの特徴に加えて、前記三次元物３が、周縁に帯状部分であるリムＲが付いた皿である点にある。
【００１０】
本発明に係るシート貼付物１の第５の特徴は、上記第１〜４の何れかの特徴に加えて、当該シート状物２の少なくとも一部同士が重複した重なり５を有し、又は、前記シート状物２は、前記三次元物３の露出面３ａにおける稜３ｃを跨いで貼り付けられた食出し６を有している点にある。
【００１１】
これらの特徴により、シート状物２に、三次元物３の露出面３ａに沿う方向に離間した間隙４を、敢えて設けることで、特許文献１のように、排気させるために厚み方向に離間した非粘着部を紫外線硬化型インキにて複数印刷形成する工程や、印刷面に紫外線を照射する工程などの工程は必要ないため、「製造効率の向上」と「生産コストの低減」が同時に実現できる。
又、間隙４は、空気を抜く排気孔の役目も果たし、三次元物３において、複雑な形状であったとしても、シート状物２を貼り付けるのに、特別な技能は必要なく、「貼付の容易化」も図れる。
【００１２】
又、シート状物２の露出面２ａに描かれた模様２ｂの少なくとも一部同士を離間させる模様隙部４ａを備えることで、シート状物２における模様２ｂが欠落することとなり、シート状物の模様２ｂ（全体像）の一部分を敢えて欠落させることで、かえって見る者に全体像を意識させ、見る者の意識を活性化させる仕掛け「虚階（こかい（商標出願））」を実現できると言える。
【００１３】
更に、三次元物３の露出面３ａにおける凹凸３ｂに沿った凹凸隙部４ｂを備えることで、三次元物３において、当該三次元物３とシート状物２との間において、最も気泡が出来易い（空気が溜まり易い）凹凸３ｂがある部分であっても、凹凸３ｂに沿って設けたシート状物２の間隙４から空気が抜けるため、特許文献１における非粘着部などを設ける必要が一切なく、更なる「製造効率の向上」と「生産コストの低減」の同時実現を図れる。
【００１４】
そして、シート状物２は、その少なくとも一部同士が重複した重なり５や、三次元物３の露出面３ａにおける稜３ｃを跨いで貼り付けられた食出し６を有していても良く、これらにより、従来では表現できなかった意匠性や立体感を備え、芸術的にも更に価値のあるシート貼付物１を得る。
【発明の効果】
【００１５】
本発明に係るシート貼付物によると、シート状物に三次元物の露出面に沿う方向に離間した間隙を設けて、「製造効率の向上」と「生産コストの低減」を同時に実現できる。
【図面の簡単な説明】
【００１６】
【図１】本発明の第１実施形態に係るシート貼付物（三次元物がリム付き皿である場合）を示す斜視図の図面代用写真である。
【図２】第１実施形態に係るシート貼付物の実施例１を示す平面図の図面代用写真である。
【図３】実施例１を示す正面斜視図の図面代用写真である。
【図４】実施例１の凹凸を示す拡大斜視図の図面代用写真である。
【図５】実施例１の裏面を示す正面斜視図の図面代用写真である。
【図６】本発明に係るシート貼付物の実施例２を示す平面図の図面代用写真である。
【図７】実施例２を示す正面斜視図の図面代用写真である。
【図８】実施例２の凹凸を示す拡大斜視図の図面代用写真である。
【図９】実施例２の裏面を示す正面斜視図の図面代用写真である。
【図１０】本発明に係るシート貼付物の実施例３を示す平面図の図面代用写真である。
【図１１】実施例３を示す正面斜視図の図面代用写真である。
【図１２】実施例３の凹凸を示す拡大斜視図の図面代用写真である。
【図１３】実施例３の裏面を示す正面斜視図の図面代用写真である。
【図１４】実施例３の凹凸と重なり部を示す拡大斜視図の図面代用写真である。
【図１５】実施例３のその他の凹凸と重なり部を示す拡大斜視図の図面代用写真である。
【図１６】第１実施形態に係るシート貼付物のその他の模様を示す平面図であって、（ａ）は合成模様を示す平面図であり、（ｂ）はその他の合成模様を示す平面図である。
【図１７】第１実施形態に係るシート貼付物のその他の模様を示す平面図であって、（ａ）は帯状模様を示す平面図であり、（ｂ）はその他の帯状模様を示す平面図である。
【図１８】第１実施形態に係るシート貼付物のその他の模様を示す平面図であって、（ａ）は雲状模様を示す平面図であり、（ｂ）はその他の雲状模様を示す平面図である。
【図１９】第１実施形態に係るシート貼付物のその他の模様を示す平面図であって、（ａ）は風景模様を示す平面図であり、（ｂ）はその他の風景模様を示す平面図である。
【図２０】本発明のその他の実施形態に係るシート貼付物を示す斜視図であって、（ａ）は三次元物が花瓶である第２実施形態に係るシート貼付物を示す斜視図であり、（ｂ）は三次元物が文鎮である第３実施形態に係るシート貼付物を示す斜視図である。
【発明を実施するための形態】
【００１７】
以下、本発明の実施形態を、図面を参照して説明する。
＜第１実施形態のシート貼付物１＞
図１〜１９には、本発明の第１実施形態に係るシート貼付物１が示されている。
このシート貼付物１は、シート状物２を三次元物３に貼り付けて構成されたものである。
シート貼付物１におけるシート状物２は、後述する間隙４を少なくとも有し、その他、重なり５や食出し６を有していても良い。
【００１８】
＜シート状物２＞
図１〜１９で示されたように、シート状物２は、三次元物３の露出面３ａ上で広がるシート状のものや、層状のものなど、何れの構成であっても良く、複数のシート状物２を、１つの三次元物３の露出面に対して、貼り付けても良い。
シート状物２は、例えば、所定のインクを三次元物３の露出面３ａに転写させる（貼り付ける）転写シートを用いて転写されるインク層であっても良い。
【００１９】
その他、シート状物２は、粘着剤を介して三次元物３の露出面３ａに付着する（貼り付ける）シール、所定のインクを直接、三次元物３の露出面３ａに塗布（又は印刷）して形成される（つまり、インク層を三次元物３の露出面３ａに貼り付けられた）塗布層、三次元物３の少なくとも露出面３ａが金属材料である場合には、三次元物３の露出面３ａに琺瑯を施したもの（三次元物３の露出面３ａ上に琺瑯層を貼り付けたもの）などでも構わない。
以下、シート状物２は、転写シートを用いて三次元物３の露出面３ａに転写される場合を主に述べる。
【００２０】
シート状物２は、紙又は樹脂フィルム等の基材シートに対して、インク（インク層）を印刷（又は塗布）することで構成される。
転写シートを用いて転写されるインク（インク層）２は、その成分に特に制限はないが、例えば、三次元物３が陶磁器であれば、釉（釉薬）に陶磁器顔料（セラミック顔料、窯業用顔料）を加えたものでも良い。
【００２１】
ここで、釉（釉薬）とは、ケイ酸塩化合物であって、焼成するとガラス質となる。釉には、唐土（炭酸鉛（ＰｂＣＯ3 ））やホウ砂（四ホウ酸ナトリウム（Ｎａ2 Ｂ4 Ｏ5 （ＯＨ）4 ・８Ｈ2 Ｏ））を混ぜても良い。
この釉に加える陶磁器顔料は、酸化物・複合酸化物・ケイ酸塩などの化合物に、遷移元素などを加えて（固溶させて）発色させる。
【００２２】
例えば、黒の陶磁器顔料の場合は、スピネル系の固溶物（スピネル（ＭｇＡｌ2 Ｏ4 ）、鉄スピネル（ＦｅＡｌ2 Ｏ4 ）、亜鉛スピネル（ＺｎＡｌ2 Ｏ4 ）、マンガンスピネル（ＭｎＡｌ2 Ｏ4 ）、磁鉄鉱（ＦｅＦｅ3+2 Ｏ4 ）、磁苦土鉄鉱（ＭｇＦｅ3+2 Ｏ4 ）、ヤコブス鉱（ＭｎＦｅ3+2 Ｏ4 ）、クロム鉄鉱（ＦｅＣｒ2 Ｏ4 ）、クロム苦土鉱（ＭｇＣｒ2 Ｏ4 ））などを用いても良い。
その他、赤の場合はベンガラ（酸化鉄（ＦｅＯ、Ｆｅ2 Ｏ3 ））等を用い、緑の場合は酸化銅（ＣｕＯ）等を用い、青の場合は炭酸銅（ＣｕＣＯ3 ）等を用い、紫の場合は呉須（鉄（Ｆｅ）やマンガン（Ｍｎ）などを含んだ酸化コバルト（Ｃｏ2 Ｏ3 ））やマンガン（Ｍｎ）等を用い、黄の場合は唐白目（アンチモン（Ｓｂ））等を用いる。
【００２３】
これらの陶磁器顔料は、三次元物（陶磁器）３の露出面３ａに、転写シートを用いてインク（インク層）を転写させた（絵付けをした）後、焼成（高温で焼成する本焼焼成など）をすることで、所定の色を焼き付けても（インク層を形成しても）良い。
尚、三次元物（陶磁器）３の露出面３ａに、まずは陶磁器顔料だけを転写し、その後、釉をかけてから、焼成しても良い。
転写シートによるインク層２の厚みは、特に制限はなく、例えば、１０μｍ以上３０００μｍｍ以下であっても良い。
【００２４】
＜その他のインク（インク層）＞
この他、転写シートにおけるインク（インク層）２としては、色素成分、樹脂材料などを適宜に組み合わせて構成されても良い。
転写シートのインク層２における色素成分は、その具体例として、通常の塗料用や染色用の着色材料であっても良く、各種の顔料あるいは染料や、プラスチック成形用の着色材料も使用できる。
色素成分は、インク中に分散するものであってもよいし、溶解してしまうものであってもよい。
【００２５】
色素成分は、粒子状のものや燐片状のもの繊維状のものなどが使用でき、色素成分の粒径は、特に制限はないが、例えば、０．０１μｍ以上１．００μｍ以下であっても良い。
インク層に、透光性のある反射材が配合されている場合、色素成分の粒径を反射材よりも小さくとも良く、この場合、インク層の上層には反射材、下層に色素成分が配置されて、反射特性を発揮させ易くなるとも言える。
尚、インク層中における色素成分の配合量は、当該色素成分の種類や要求性能によっても異なる。
【００２６】
転写シートのインク層２における樹脂材料は、熱可塑性樹脂および熱硬化性樹脂の何れでも良く、その他、湿気硬化型や紫外線硬化型の樹脂も使用できる。
樹脂材料は、水系樹脂、有機溶剤系樹脂、それらの混合溶媒系樹脂であっても良く、具体的には、アクリル系、ウレタン系、エポキシ系、エチレン酢ビ系、ポバール系、シリコーン系、ポリエステル系、ナイロン系、オレフィン系、天然ゴム系、アルキッド系、塩ビ系などの樹脂が挙げられる。
これらの樹脂の共重合体や、一般的な接着性樹脂材料、市販の接着用樹脂などを、転写シートのインク２における樹脂材料として使用しても良い。
【００２７】
樹脂材料が熱硬化性樹脂の場合、その具体的な熱硬化温度は、何れの値でも良いが、この場合には、例えば、５５０℃以下であっても良い。
樹脂材料が透明性に優れたものであれば、インク層に到達した光を、インク層内の色素成分などで反射させて、色光を作り出せるとも言える。
【００２８】
樹脂材料が不透明材料であれば、インク層に入射した光は全て、インク層とその外界との境界面で反射するか、インク層で吸収される。
樹脂材料は、造膜性を有していたり、基材シートに対して化学的に反応して接着することがないものが好ましい。
尚、三次元物３の露出面３ａに直接にインク（インク層）を塗布（又は印刷）する場合は、三次元物３の露出面３ａに対して接合性の高い樹脂材料が好ましい。
【００２９】
転写シートのインク層２には、上述した以外にも、必要に応じて、インクに各種配合成分を配合できる。
例えば、インクには、反射材や、シランカップリング剤、色素成分の分散を助ける分散剤、インク層のひび割れを防ぐ、ひび割れ防止剤、インクの粘度を適度に調整する粘度調整剤、硬化剤や硬化促進剤、硬化遅延剤、溶剤、消泡剤、架橋剤、粘性付与剤、安定剤、又は、それらを組み合わせたものを配合しても良い。
【００３０】
転写シートのインク層２は、材料や配合の異なる複数の層を積層して構成しても良く、例えば、反射性の高い層と、透明性の高い層と、着色層とを順次積層することも可能である。
尚、転写シートは、インク層（インク）２を覆うカバーコート層を有していても良く、この場合、基材シートには、先にカバーコート層（カバーコート層を構成する樹脂等）を印刷（又は塗布）し、カバーコート層が乾燥した後に、インクを印刷（又は塗布）することになる。
【００３１】
＜シート状物２の露出面２ａにおける模様２ｂ＞
図１〜１９で示されたように、シート状物２の露出面２ａ（シート状物２の外方に露出した側の面（表面（上面）、外周面、内周面など）に描かれた模様２ｂは、図形、文字、数字、符号、記号、マーク、図柄、又は、これらの組合せであっても良い。
尚、実施例１〜１５におけるシート状物２の模様２ｂは、古代ギリシャ赤絵式陶器から引用している。
【００３２】
このような模様２ｂを形成するインク（インク層）を、転写シート（基材シート）に対して、基材シートの露出面（表面）に印刷（又は、塗布）することで、転写シートが構成される。
尚、印刷方法としては、スクリーン印刷、グラビア印刷、オフセット印刷、インクジェット印刷、コーティングなどの何れの方法であっても良く、基材シートの露出面に塗布する方法としては、筆、刷毛、ローラ、スプレーを用いた手作業であっても良い。
模様２ｂを形成するインクを基材シートの露出面に印刷（又は、塗布）するその他の方法として、エッチングされた銅版や、石版等の凹版の凹部にインクを填め、これを基材シートの露出面に押し付けることにより、インクを基材シートに転写させても良い。
【００３３】
一方、模様２ｂを形成するインク（インク層）は、直接、三次元物３の露出面３ａに塗布（又は印刷）されても良く、その際の印刷方法としても、スクリーン印刷、グラビア印刷、オフセット印刷、インクジェット印刷、コーティングなどや、筆、刷毛、ローラ、スプレーを用いた手作業であっても構わない。
その他、所定の模様２ｂ通りに各色のインクを自動的に三次元物３の露出面３ａに付着させる陶磁器絵付け印刷機などを用いても良い。
【００３４】
＜三次元物３＞
図１〜１９で示されたように、三次元物３は、縦、横、高さを有した三次元空間中における何れの物体をも含み、例えば、陶磁器製の皿や茶碗、コップ等の食器であっても良く、その他、陶磁器製の花瓶など、何れの構成であっても良い。
三次元物３は、陶磁器以外に、ガラス（ガラス製の文鎮など）、石材、木材、金属、プラスチック、合成樹脂、織物や編物等の布帛、不織布、紙、天然ゴム、合成ゴムなど、何れの素材であっても構わない。
【００３５】
その他、三次元物３は、複数の素材を組み合わせたものや、それぞれの構造物を組み立てたものなども含み、最終的に使用された状態の完成品だけでなく、製造途中の中間製品や部品段階の物品や、素材や原材料の段階の物品であっても良い。
尚、三次元物３の露出面３ａとは、三次元物３の外方に露出した側の面（正面、背面、上面、下面、左面、右面など）である。
【００３６】
例えば、図１〜１９のように、三次元物３がリム（皿の周縁における帯状部分）Ｒ付きの皿である場合、露出面３ａには、皿の上面（見込み（表面））、下面（底（裏面））だけでなく、皿の凹凸に沿った内周面（例えば、リム付き皿のリムＲにおけるリム肩Ｒ’から内底面Ｂまでの内周面ＲＢ）や、皿が割れた際に表れる断面も含まれる。
三次元物３が後述する花瓶である場合には、露出面３ａには、花瓶の外周面の他、花瓶の内面（見込み（内周面、内底面Ｂ））や裏面（底（外底面Ｂ’））なども含まれる。
以下、三次元物３は、陶磁器製のリム付き皿である場合を主に述べる。
【００３７】
＜三次元物３の露出面３ａにおける凹凸３ｂ＞
図１〜１５で示されたように、三次元物３の露出面３ａにおける凹凸３ｂは、三次元物３の露出面３ａにおいて高低差（突出差）が生じている部分を言う。
よって、三次元物３の露出面３ａにおける凹凸３ｂとは、隆起した凸部、窪んだ凹みなどの凹凸や所定方向に沿って掲載された段差、三次元物３の露出面３ａ全体の湾曲も含まれる。
【００３８】
リム付き皿（三次元物）３においては、リムＲのリム肩Ｒ’から内底面Ｂまでに亘る間に高低差が生じており（内底面ＢよりリムＲの方が上方へ突出しており）、リムＲのリム肩Ｒ’から内底面Ｂにかけて凹凸３ｂが形成されている。
又、リム付き皿３のリムＲの上面自体にも、リム肩Ｒ’から皿３の口縁にかけて徐々に高くなっており（つまり、リム肩Ｒ’から皿３の口縁までに亘る間に高低差が生じており）、リムＲの上面にも凹凸３ｂが形成されていると言える。
【００３９】
尚、三次元物３の凹凸３ｂは、当該凹凸３ｂの角（リム付き皿３の場合であれば、リム肩Ｒ’など）が丸いものも含まれる。
三次元物３の凹凸３ｂにおける高低差（突出差）は、特に制限はないが、例えば、例えば、０．０１ｍｍ以上１００．００ｍｍ以下、好ましくは０．１ｍｍ以上５０．０ｍｍ以下、更に好ましくは１ｍｍ以上３０ｍｍ以下であっても良い。
【００４０】
＜三次元物３の稜３ｃ＞
図１〜１５で示されたように、三次元物３の露出面３ａにおける稜３ｃは、三次元物３が、上述のリム付き皿や花瓶、文鎮のように多面体で構成されている場合において、隣り合う二つの露出面３ａが交わって出来る線分を言う。
よって、リム付き皿（三次元物）３における稜３ｃは、表面（上面）と裏面（下面）との間の口縁（周縁）や、凹凸３ｂに沿った内周面ＲＢにおける上下の周線分（つまり、上の周線分（リム付き皿３の周縁にあるリムＲのリム肩Ｒ’）と、下の周線分（リム付き皿３のリムＲにおけるリム肩Ｒ’から内底面Ｂまでの内周面ＲＢと当該内底面Ｂとの間の周線分）などである。
【００４１】
その他の稜３ｃとしては、リム付き皿３の外底面Ｂ’を囲む糸切り（高台）Ｓの突出周端における周線分や、高台Ｓと外底面Ｂ’との間の周線分、高台Ｓと外周面との間の周線分なども含まれる。
このような稜３ｃは、当然、後述する花瓶などにも存在している。
この他、リム付き皿をはじめ何れの三次元物３の露出面３ａにおいても、湾曲の角度が変化しているところ（変曲点が集まって形成された線分）も、稜３ｃであると言える。
【００４２】
＜間隙４＞
図１〜１９で示されたように、シート状物２における間隙４は、シート状物２の少なくとも一部同士が三次元物３の露出面３ａに沿う方向（シート状物２の広がる方向）に離間したものであって（つまり、シート状物２に凹凸を設けて厚み方向に離間したものではないとも言え）、シート状物２が離間するのであれば、何れの構成でも良い。
例えば、間隙４は、１つのシート状物２における一端部２ｃと他端部２ｄ同士がリム付き皿３の露出面３ａに沿う方向に離間している間隙や、複数のシート状物２、２’同士がリム付き皿３の露出面３ａに沿う方向に離間している間隙であっても構わない。
【００４３】
これらの間隙４は、シート状物２を切り離して形成されていても、シート状物２の一部を抜き取って形成されていても良い。
間隙４の形状は、何れの形状であっても構わないが、例えば、略三角形状であったり、帯状、線状や、略多角形状であっても良い。
【００４４】
間隙４において、シート状物２の少なくとも一部同士が離間している距離（離間距離Ｌ）は、特に限定はないが、例えば、０．０１ｍｍ以上１００．００ｍｍ以下、好ましくは０．１ｍｍ以上５０．０ｍｍ以下、更に好ましくは１ｍｍ以上３０ｍｍ以下であっても良い。
このような間隙４を、敢えて有することで、特許文献１のように、非粘着部を紫外線硬化型インキにて複数印刷形成する工程や、印刷面に紫外線を照射する工程などの工程は必要ないため、「製造効率の向上」と「生産コストの低減」が同時に実現できる。
又、間隙４は、空気を抜く排気孔の役目も果たし、三次元物３において、複雑な形状であったとしても、シート状物２を貼り付けるのに、特別な技能は必要なく、「貼付の容易化」も図れる。
【００４５】
＜模様隙部４ａ＞
図１〜１９で示されたように、間隙４における模様隙部４ａは、シート状物２の露出面２ａに描かれた模様２ｂの少なくとも一部同士を、三次元物３の露出面３ａに沿う方向に離間させるものであって、シート状物２の模様２ｂ同士を離間させるのであれば、何れの構成でも良い。
例えば、模様隙部４ａは、シート状物２における模様２ｂ同士を切り離したもの（模様２ｂは何れの部分も欠落していないものの、模様２ｂ同士は切り離されることで、模様２ｂの間に模様隙部４ａが形成されたもの）や、シート状物２の一部を抜き取ったもの（模様２ｂの一部を抜き取る（つまり、模様２ｂの一部を欠落させる）ことで、模様２ｂの間に模様隙部４ａが形成されたもの）でも良い。
【００４６】
尚、模様隙部４ａは、シート状物２の模様２ｂ同士を離間させていることから、当然、シート状物２そのもの同士を離間させており、模様隙部４ａは、間隙４に含まれる。
このような模様隙部４ａによって、シート状物２における模様２ｂが欠落することとなり、シート状物の模様２ｂ（全体像）の一部分を敢えて欠落させることで、かえって見る者に全体像を意識させ、見る者の意識を活性化させる仕掛け「虚階（こかい（商標出願））」を実現できると言える。
この「虚階」について詳解すれば、模様隙部４ａは、シート状物２における模様２ｂを離間させることで、シート状物２の模様２ｂを模様隙部４ａで欠落させることとなり、この模様２ｂの欠落が、見る者に、観念的な模様を想い起こさせる刺激となる。
つまり、ただ一方的に模様２ｂを見せるだけでは、見る方もただ受容するだけとなるが、模様隙部４ａによる模様２ｂの欠落（すなわち「虚階」）が、見る者の意識を活性化するための仕掛けとなる（物理的に見えない模様を視る、観念的な意匠である）。
【００４７】
＜凹凸隙部４ｂ＞
図１〜１９で示されたように、間隙４における凹凸隙部４ｂは、三次元物３の露出面３ａにおける凹凸３ｂに沿ったものであって、三次元物３の露出面３ａにおいて高低差（突出差）が生じている凹凸３ｂに沿うものであれば、何れの構成でも良い。
例えば、凹凸隙部４ｂは、リム付き皿３においては、リムＲのリム肩Ｒ’から内底面Ｂにかけて高低差を生じさせる凹凸３ｂに沿って形成されていても良い。
【００４８】
従って、この凹凸隙部４ｂは、リム付き皿３の平面視において円状の凹凸３ｂ（円状のリム肩Ｒ’、内底面Ｂの周線分、内周面ＲＢ）のように、円周状に形成されることとなる。
凹凸隙部４ｂは、リム付き皿（三次元物）３の凹凸３ｂに沿っていれば、当該凹凸３ｂ（凹凸３ｂを形成する稜３ｃ）までの距離（凹凸距離）Ｌ’だけ離れた位置にシート状物２を貼り付けていても良く、この凹凸距離Ｌ’は特に制限はないが、例えば、０ｍｍ以上３０ｍｍ以下、好ましくは０．１ｍｍ以上２０．０ｍｍ以下、更に好ましくは１ｍｍ以上１０ｍｍ以下であっても良い。
尚、凹凸隙部４ｂは、凹凸３ｂからの凹凸距離Ｌ’が常に一定でなくとも良く、例えば、凹凸距離Ｌ’が所定の範囲内で変化しても良い。
又、図１０〜１２で示したように、凹凸隙間４ｂが、凹凸３ｂの途中（内周面ＲＢ）に存在する場合には、凹凸距離Ｌ’は０ｍｍとなる。
【００４９】
尚、三次元物（リム付き皿）３の凹凸３ｂは、稜３ｃに挟まれていることから、凹凸隙部４ｂは、三次元物（リム付き皿）３の稜３ｃに沿って形成されているとも言える。
より厳密には、この凹凸隙部４ｂは、リム付き皿３の稜３ｃ（上述したリム付き皿３の内周面ＲＢにおける上下の周線分）にも沿って形成され、内周面ＲＢにおける上の周線分（リム肩Ｒ’）や、下の周線分（内周面ＲＢと内底面Ｂとの間の周線分）から凹凸距離Ｌ’離れたところにシート状物２を貼り付けることとなる。
【００５０】
つまり、凹凸隙部４ｂは、リム付き皿３のリムＲにシート状物２を貼り付けた場合や、内底面Ｂにシート状物２を貼り付けた場合だけではなく、内周面ＲＢにシート状物２を貼り付けた場合にも形成される。
これは、リム付き皿３のリムＲと内底面Ｂとの間の凹凸３ｂだけでなく、リム付き皿３の外底面Ｂ’を囲む高台Ｓの突出周端における稜（周線分）３ｃや、高台Ｓと外底面Ｂ’との間の稜（周線分）３ｃ、高台Ｓと外周面との間の稜（周線分）３ｃ、三次元物３の露出面３ａにおいて湾曲の角度を変化させている稜３ｃから凹凸距離Ｌ’離れたところにシート状物２を貼り付けた場合でも同様であって、これらの稜３ｃに沿って形成された間隙４も凹凸隙部４ｂであると言える。
【００５１】
尚、凹凸隙部４ｂは、シート状物２の模様２ｂ同士を離間させていることから、当然、シート状物２そのもの同士を離間させており、凹凸隙部４ｂも、間隙４に含まれる。
このような凹凸隙部４ｂによって、三次元物３において、当該三次元物３とシート状物２との間において、最も気泡が出来易い（空気が溜まり易い）凹凸３ｂがある部分であっても、凹凸３ｂに沿って設けたシート状物２の間隙４から空気が抜けるため、特許文献１における非粘着部などを設ける必要が一切なく、更なる「製造効率の向上」と「生産コストの低減」の同時実現を図れる。
【００５２】
＜重なり５＞
図１０〜１２、１４、１５で示されたように、シート状物２における重なり５は、シート状物２の少なくとも一部同士が重複したものであって、シート状物２同士が重複しているものであれば、何れの構成でも良い。
例えば、重なり５は、１つのシート状物２における一端部２ｃと他端部２ｄ同士が重複している重なりや、複数のシート状物２、２’同士が重複している重なりであっても構わない。
【００５３】
重なり５の形状も、何れの形状であっても構わないが、例えば、略三角形状であったり、帯状、線状や、略多角形状であっても良い。
重なり５において、シート状物２の少なくとも一部同士が重複している距離（重複距離Ｌ”）は、特に限定はないが、例えば、０．０１ｍｍ以上１００．００ｍｍ以下、好ましくは０．１ｍｍ以上５０．０ｍｍ以下、更に好ましくは１ｍｍ以上３０ｍｍ以下であっても良い。
このような重複した重なり５を有することで、従来では表現できなかった意匠性や立体感を備え、芸術的にも更に価値のあるシート貼付物１を得る。
【００５４】
＜食出し６＞
図１〜４、６〜９、１０〜１３で示されたように、シート状物２における食出し６は、三次元物３の露出面３ａにおける稜３ｃを跨いで貼り付けられたシート状物２の一部であって、稜３ｃを跨いで貼り付けられているものであれば、何れの構成でも良い。
例えば、食出し６は、リム付き皿３の表面（上面）と裏面（下面）との間の稜３ｃを跨いで貼り付けられた食出しや、リム付き皿３のリムＲの稜３ｃ（リム肩Ｒ’、内周面ＲＢと内底面Ｂとの間の周線分）を跨いで貼り付けられた食出し、リム付き皿３の外底面Ｂ’における高台Ｓの稜３ｃを跨いで貼り付けられた食出し、三次元物３の露出面３ａにおいて湾曲の角度を変化させている稜３ｃを跨いで貼り付けられた食出しであっても構わない。
【００５５】
食出し６の形状も、何れの形状であっても構わないが、例えば、略矩形状であったり、略三角形状、帯状、線状や、略多角形状であっても良い。
食出し６において、稜３ｃから食み出している距離（食出距離Ｄ）は、特に限定はないが、例えば、０．０１ｍｍ以上１００．００ｍｍ以下、好ましくは０．１ｍｍ以上５０．０ｍｍ以下、更に好ましくは１ｍｍ以上３０ｍｍ以下であっても良い。
【００５６】
このような食出し６を有することで、従来では表現できなかった意匠性や立体感を備え、芸術的にも更に価値のあるシート貼付物１を得る。
尚、食出し６によって、上述した凹凸隙部４ｂも同時に形成することも出来る。
【００５７】
＜実施例１＞
図１〜５には、本発明の第１実施形態の実施例１に係るシート貼付物１が示されている。
この実施例１における間隙４は、三次元物３がリム付き皿であり、貼り付けたシート状物２の模様２ｂを欠落・離間させた模様隙部４ａと、リムＲと内底面Ｂとの間の凹凸３ｂに沿って形成された凹凸隙部４ｂの両方が含まれている。
【００５８】
尚、実施例１のシート貼付物１における内底面Ｂの略中央部で模様２ｂを欠落させて形成された模様隙部４ａ等により、かえって見る者に全体像を意識させ、見る者の意識を活性化させる仕掛け「虚階（称呼は「こかい」である（商標出願））」を実現していると言える。
つまり、実施例１は、ただ一方的に模様２ｂを見るだけではなく、見る者が物理的に見えない模様（観念的な意匠）を見せる仕掛け「虚階」を有していると言える。
【００５９】
＜実施例２＞
図１、６〜９には、本発明の第１実施形態の実施例２に係るシート貼付物１が示されている。
この実施例２は、実施例１よりも内底面Ｂの略中央部の模様２ｂを大きく欠落させている（略中央の模様隙部４ａが大きい）と共に、リムＲと内底面Ｂとの間の稜３ｃを跨いで貼り付けたシート状物２の食出し６が多くなっている。
【００６０】
更に、実施例２は、リムＲの凹凸３ｂに沿った凹凸隙部４ｂが、実施例１よりも、当該凹凸３ｂから遠い（凹凸距離Ｌ’がより大きい）位置に形成されており、凹凸隙部４ｂは、三次元物３の凹凸３ｂから所定の凹凸距離Ｌ’だけ離れていても十分に空気を抜く排気孔の役目も果たせる。
その他のシート貼付物１の構成、作用効果及び使用態様は、実施例１と同様である。
【００６１】
＜実施例３＞
図１、１０〜１５には、本発明の第１実施形態の実施例３に係るシート貼付物１が示されている。
この実施例３は、実施例１、２とは異なり、帯状（短冊状）にカットされた複数のシート状物２を、リムＲの凹凸３ｂを無視して貼り付けた部分を有している。
【００６２】
又、図１で示したように、実施例３は、実施例１、２より、模様２ｂの欠落が大きい（模様隙部４ａが大きく、多い）と共に、実施例１、２から連続して実施例３を見た者は、多くの欠落した模様２ｂの部分を見せ、見る者に全体像を意識させて、より意識を活性化させる仕掛け「虚階」を実現していると言える。
更に、実施例３は、重なり５も有し、食出し６も大きく、多くなっている。
その他のシート貼付物１の構成、作用効果及び使用態様は、実施例１、２と同様である。
【００６３】
＜その他の模様２ｂ−１〜４＞
図１６〜１９には、本発明の第１実施形態に係るシート貼付物１のその他の模様２ｂが示されている。
尚、模様２ｂは、上述した実施例１〜３における鳥（鶏）に跨った人の模様２ｂや、後述する模様２ｂ−１〜４に限定されず、何れの模様でも構わない。
【００６４】
図１６は、シート状物２が、２種類の模様が１つに合せた合成模様２ｂ−１を有する場合を示しており、図１６（ａ）では、波形状と巴（例えば、三つ巴）状の２種類の模様を、斜めの切り口を介して合せており、図１６（ｂ）では、波形状と花柄（例えば、桜の花）状の２種類の模様を、斜めの切り口を介して合わせている。
【００６５】
図１７は、シート状物２を帯状（短冊状）にカットした帯状模様２ｂ−２を有する場合を示しており、その模様２ｂは、例えば、花柄（例えば、桜の花）状の模様である。
図１７（ａ）では、シート状物２同士の間の間隙４（離間距離Ｌ）が大きく形成されており、図１７（ｂ）では、シート状物２同士の間隙４に、更に、花柄状にカットしたシート状物２を貼り付けている。
【００６６】
図１８は、雲状の模様を有したシート状物２から形成される雲状模様２ｂ−３を有する場合を示しており、図１８（ａ）、（ｂ）では、それぞれ異なるカッティングをしたシート状物２を、その間に間隙４を形成するように貼り付けている。
図１９は、山や月などの風景を模したシート状物２から形成される風景模様２ｂ−４を有する場合を示しており、図１９（ａ）、（ｂ）では、月の色などが異なる模様となっている。
【００６７】
＜その他の実施形態のシート貼付物１＞
図２０には、本発明のその他の実施形態に係るシート貼付物１が示されている。
尚、シート貼付物１に用いられる三次元物３は、上述したリム付き皿や、後述する花瓶、文鎮に限定されず、リム無しの皿など、何れの三次元物でも構わない。
【００６８】
図２０（ａ）は、三次元物３が花瓶である第２実施形態に係るシート貼付物１であり、上述した合成模様２ｂ−１のシート状物２を貼り付けたものである。
第２実施形態は、当該花瓶３において左右外方へ突出している外周面も、花瓶の首Ｎから腰Ｗにかけて突出差が生じており、花瓶の外周面にも凹凸３ｂが形成されていると言え、この凹凸３ｂに沿って凹凸隙部４ｂが形成されていても良い。
【００６９】
図２０（ｂ）は、三次元物３が文鎮である第３実施形態に係るシート貼付物１であり、上述した雲状模様２ｂ−３のシート状物２を貼り付けたものである。
第３実施形態は、当該文鎮３において上方へ突出している側面上部から上面にかけても、突出差が生じており、文鎮の側面から上面にかけても凹凸３ｂが形成されていると言え、この凹凸３ｂに沿って凹凸隙部４ｂが形成されていても良い。
【００７０】
尚、文鎮３における底面と側面との間の線分や、前面と、側面から上面にかけての間の線分、後面と、側面から上面にかけての間の線分なども、稜３ｃに含まれる。
その他の実施形態におけるシート貼付物１の構成、作用効果及び使用態様は、第１実施形態と同様である。
【００７１】
＜その他＞
本発明は、上述した実施形態に限定されるものではない。シート貼付物１等の各構成又は全体の構造、形状、寸法などは、本発明の趣旨に沿って適宜変更することが出来る。
シート状物２は、その露出面２ａに描かれた模様２ｂとは関係なく、月や花などの形状にカッティングされていても良い。
シート状物２は、当該シート状物２の少なくとも一部が三次元物３の露出面３ａから離間した飛出しや、シート状物２の一端部と他端部が非常に狭い幅で連結している繋がりを有していても良い。
【００７２】
三次元物３の露出面３ａには、シート状物２における模様２ｂとは別に、模様が描かれていても良い。又、三次元物３における凹凸３ｂで模様を形成しても良い。
三次元物３には、シート状の三次元物も当然含まれ、この場合におけるシート貼付物１とは、土台となるシート状の三次元物３に、また別のシート状物２が貼り付けられているものを意味する。
【００７３】
間隙４は、上述した模様隙部４ａや凹凸隙部４ｂを兼用する間隙であっても良い。
又、間隙４は、上述した模様隙部４ａや凹凸隙部４ｂとは異なり、シート状物２の模様２ｂや三次元物３の凹凸３ｂとは無関係に存在していても良い。
例えば、間隙４は、三次元物３がリム付き皿である場合には、リムＲのリム肩Ｒ’と内底面Ｂとの間の内周面ＲＢや、リムＲの上面において、この周方向に沿って所定距離ごとに設けられていても良い。
又、間隙４は、シート状物２の少なくとも一部同士が、三次元物３の露出面３ａに沿う方向に離間しているのであれば、同時に、シート状物２に凹凸を設けて、シート状物２の厚み方向に三次元物３の露出面３ａから離間したり、シート状物２の少なくとも一部同士が厚み方向に離間したものであっても良い。
【産業上の利用可能性】
【００７４】
本発明に係るシート貼付物１は、上述した皿等の食器や花瓶、文鎮などに用いられるだけでなく、シャンプーボトル等の陶磁器製の容器や、宝石等の陶磁器製の小物入れ、陶磁器製のタイルなどとしても利用できる。
【符号の説明】
【００７５】
１      シート貼付物
２      シート状物
２ａ    シート状物の露出面
２ｂ    シート状物の露出面に描かれた模様
３      三次元物
３ａ    三次元物の露出面
３ｂ    三次元物の露出面における凹凸
３ｃ    三次元物の露出面における稜
４      間隙
４ａ    模様隙部
４ｂ    凹凸隙部
５      重なり
６      食出し
【図１】
0006687970.tif 000002
【図２】
0006687970.tif 000003
【図３】
0006687970.tif 000004
【図４】
0006687970.tif 000005
【図５】
0006687970.tif 000006
【図６】
0006687970.tif 000007
【図７】
0006687970.tif 000008
【図８】
0006687970.tif 000009
【図９】
0006687970.tif 000010
【図１０】
0006687970.tif 000011
【図１１】
0006687970.tif 000012
【図１２】
0006687970.tif 000013
【図１３】
0006687970.tif 000014
【図１４】
0006687970.tif 000015
【図１５】
0006687970.tif 000016
【図１６】
0006687970.tif 000017
【図１７】
0006687970.tif 000018
【図１８】
0006687970.tif 000019
【図１９】
0006687970.tif 000020
【図２０】
0006687970.tif 000021